(57)【要約】      （修正有）【課題】ゴルフバッグのキャリー装置の提供。【解決手段】ゴルフバッグのキャリー装置は底部に車輪２１を具えたゴルフバッグ２０に結合され、ゴルフバッグを牽引するのに用いられ、ロッド１０を具え、ロッドの下端が固定座３０を介してゴルフバッグに結合され、且つ別端にハンドル１２が結合され、且つ上向きに延伸され、該ロッドは円弧状とされ外向きに湾曲するよう設けられるか或いは直線状で外向きに傾斜するよう設けられ、これによりロッドとゴルフバッグの相対距離が下から上に漸次増加し、ハンドルがゴルフバッグに対して開放区を形成し、ハンドル操作時にゴルフバッグ或いはその内容物の干渉を受けないものとされている。【選択図】図２
0003105140.tif 000002
【実用新案登録請求の範囲】
【請求項１】
底部に車輪を具えたゴルフバッグに結合されてゴルフバッグを牽引するのに用いられ、ロッドを具え、該ロッドは下端部と上端部を具え、該下端部はゴルフバッグの接合面に結合され、該上端部は該ゴルフバッグに沿って上方に延伸され、且つ握持及び施力に供されるハンドルに結合されている、ゴルフバッグのキャリー装置において、
該ロッドの下端部と上端部の間が延伸部とされ、該延伸部とゴルフバッグの接合面の相対距離が下から上に漸増し、該ハンドルと該ゴルフバッグの接合面の間に開放区が形成され、該ハンドルの操作時のゴルフバッグ或いはゴルフバッグに送入されたゴルフクラブによる干渉が防止されたことを特徴とする、ゴルフバッグのキャリー装置。
【請求項２】
請求項１記載のゴルフバッグのキャリー装置において、ロッドが円弧状とされたことを特徴とする、ゴルフバッグのキャリー装置。
【請求項３】
請求項１記載のゴルフバッグのキャリー装置において、ロッドが直線状とされたことを特徴とする、ゴルフバッグのキャリー装置。
【請求項４】
請求項１記載のゴルフバッグのキャリー装置において、ロッドの下端部がゴルフバッグと固定座を介して結合されたことを特徴とする、ゴルフバッグのキャリー装置。
【請求項５】
請求項４記載のゴルフバッグのキャリー装置において、ロッドの延伸部とゴルフバッグが一つ以上の位置決め座により更に結合されたことを特徴とする、ゴルフバッグのキャリー装置。
【請求項６】
請求項１記載のゴルフバッグのキャリー装置において、ロッドが複数のスリーブが接続されてなる伸縮ロッドとされたことを特徴とする、ゴルフバッグのキャリー装置。
【考案の詳細な説明】
【技術分野】
【０００１】
本考案は一種のゴルフバッグのキャリー装置に係り、特に、底部に車輪を具えたゴルフバッグに結合され、ゴルフバッグを牽引するのに用いられるゴルフバッグのキャリー装置に関する。
【背景技術】
【０００２】
ゴルフバッグにキャリー装置を設けた設計は、使用者に該キャリー装置を利用してゴルフバッグを牽引できるようにする。
【０００３】
図１は周知のゴルフバッグ６１に応用されたキャリー装置６２であり、キャリー装置の一端はゴルフバッグに結合され、別端は上向きに操作に適合する位置まで延伸され、使用者は正常な直立走行状態下で手でキャリー装置６２を引いてゴルフバッグを一体に移動させることができる。
【０００４】
図示されるキャリー装置はゴルフバッグの垂直方向に沿って設けられ、上端部分に位置するハンドルは袋口より高い位置にあり操作上の困難を発生しないが、ゴルフバッグにゴルフクラブ６３が収容されている時は、使用上の不便をもたらす。
【０００５】
例えば、ゴルフバッグ内のロングクラブの挿入後の高さがハンドルの高さを超えたり、ショートクラブの挿入後の高さがハンドルの位置と同じである時、及びゴルフクラブがゴルフバッグ内のキャリー装置に接近する位置に収容されている時、いずれもハンドルに対して操作上の障害をもたらす。
【考案の開示】
【考案が解決しようとする課題】
【０００６】
キャリー装置を具えたゴルフバッグの操作上存在する問題を鑑み、本考案は特にキャリー装置の操作使用面で、解決策を提供するものである。具体的には、キャリー装置の操作使用上、ゴルフクラブによる障害を受けないようにする改善策である。
【０００７】
ゆえに、本考案は一種のゴルフバッグのキャリー装置を提供し、それは、固定座により一端がゴルフバッグの接合面に結合され、もう一端がゴルフバッグの接合面に対して上向きに且つ外向きの方向に延伸されたロッドを具え、該ロッドのゴルフバッグとの相対距離が下から上に漸増するものとされ、これによりロッド延伸端に結合されたハンドルとゴルフバッグが開放区を形成し、操作時にゴルフバッグ自身或いはゴルフバッグに挿入されたゴルフクラブによる干渉を受けないものとされる。
【課題を解決するための手段】
【０００８】
請求項１の考案は、底部に車輪を具えたゴルフバッグに結合されてゴルフバッグを牽引するのに用いられ、ロッドを具え、該ロッドは下端部と上端部を具え、該下端部はゴルフバッグの接合面に結合され、該上端部は該ゴルフバッグに沿って上方に延伸され、且つ握持及び施力に供されるハンドルに結合されている、ゴルフバッグのキャリー装置において、
該ロッドの下端部と上端部の間が延伸部とされ、該延伸部とゴルフバッグの接合面の相対距離が下から上に漸増し、該ハンドルと該ゴルフバッグの接合面の間に開放区が形成され、該ハンドルの操作時のゴルフバッグ或いはゴルフバッグに送入されたゴルフクラブによる干渉が防止されたことを特徴とする、ゴルフバッグのキャリー装置としている。
請求項２の考案は、請求項１記載のゴルフバッグのキャリー装置において、ロッドが円弧状とされたことを特徴とする、ゴルフバッグのキャリー装置としている。
請求項３の考案は、請求項１記載のゴルフバッグのキャリー装置において、ロッドが直線状とされたことを特徴とする、ゴルフバッグのキャリー装置としている。
請求項４の考案は、請求項１記載のゴルフバッグのキャリー装置において、ロッドの下端部がゴルフバッグと固定座を介して結合されたことを特徴とする、ゴルフバッグのキャリー装置としている。
請求項５の考案は、請求項４記載のゴルフバッグのキャリー装置において、ロッドの延伸部とゴルフバッグが一つ以上の位置決め座により更に結合されたことを特徴とする、ゴルフバッグのキャリー装置としている。
請求項６の考案は、請求項１記載のゴルフバッグのキャリー装置において、ロッドが複数のスリーブが接続されてなる伸縮ロッドとされたことを特徴とする、ゴルフバッグのキャリー装置としている。
【考案の効果】
【０００９】
本考案は周知のキャリー装置を具えたゴルフバッグの操作上に存在する問題を解決し、即ち、本考案はキャリー装置の操作使用上、ゴルフクラブによる障害を受けないようにしている。
【考案を実施するための最良の形態】
【００１０】
本考案のキャリー装置は底部に車輪２１を具えたゴルフバッグ２０に応用されてゴルフバッグ２０を牽引するのに用いられる。図１は本考案の好ましい実施例の立体図である。本考案は、ロッド１０を具え、このロッド１０は下端部１０１と上端部１０２を具え、該下端部１０１と上端部１０２の間は延伸部１０３とされる。そのうち、下端部１０１はゴルフバッグ２０の一側の接合面に結合され、通常接合面は車輪２１と同側の面とされ、並びに上端部１０２と延伸部１０３はゴルフバッグ２０に沿って上向きに延伸されている。
【００１１】
上端部１０２の端縁にハンドル１２が結合され、このハンドル１２は使用者が握持しやすい外形とされ、使用者の牽引力を受けてロッド１０を通してゴルフバッグ２０を牽引し、車輪２１を回転させて走行させる。
【００１２】
ロッド１０とゴルフバッグ２０の結合方式は図示されるように、下端部１０１が固定座３０によりゴルフバッグ２０と結合され、固定座３０にはロッド１０の下端部１０１が挿入される挿入孔３１が設けられ、並びに側縁より一つ異常の耳部３２が延伸されて、該固定座３０は該耳部３２に設けられた位置決め孔を通るボルトによりゴルフバッグ２０に固定される。
【００１３】
図３は本考案のキャリー装置の側面図である。そのうち、ロッド１０の外形は円弧状とされ、実施時には一体成形の単一ロッドとされるほか、複数のスリーブ１３が接続されてなる伸縮管とされ得て、即ちロッド１０がそれを組成するスリーブ１３のスライドにより引き伸ばし或いは短縮自在なものとされる。このほか、ロッド１０は一本の円弧ロッドとされ得て、下端部１０１を基準として引き伸ばされる時、延伸部１０３上の各点は下端部１０１の設置点の垂直基準線Ａより離れ、上端部１０２に結合されたハンドル１２の水平位置は下端部１０１と反対の一側に向けて偏移する。
【００１４】
これにより、ロッド１０は図２に示されるように、それとゴルフバッグ２０の接合面との相対距離が下から上に漸増し、並びにハンドル１２とゴルフバッグ２０接合面の垂直延伸線は開放区４０を形成する。言い換えると、ハンドル１２はロッド１０の円弧造形によりゴルフバッグ２０との間に操作時に使用者の手部にゴルフバッグ２０或いはその内部に挿入されたゴルフクラブ２２の解消を受けさせない有効空間を保持する。
【００１５】
こうして、ゴルフバッグ２０内に放置されたゴルフクラブ２２の挿入高さがハンドル１２の高さ位置を超える場合、或いはゴルフクラブ２２がゴルフバッグ２０のロッド１０に接近する位置に挿入されている場合のいずれも、操作上の障害を形成しない。
【００１６】
続いてキャリー装置の実施時の具体的実施構造について説明する。まず、ロッド１０とゴルフバッグ２０の固定効果を強化するため、固定座３０による連結のほか、延伸部１０３に嵌合される一つ以上の位置決め座５０による補助連結を加える。そのうち、位置決め座５０には延伸部１０３を通すための挿入孔５１が設けられ、並びに延伸部１０３とゴルフバッグ２０の相対距離の違いに合わせて異なる長さの脚部５２が設けられ、これにより相互間に異なる距離を有する延伸部１０３とゴルフバッグ２０が、位置決め座５０がネジ５３でゴルフバッグ２０に固定された後、安定した支持と位置決めを得られる。さらに、複数のスリーブ１３で組成されたロッド１０は、そのうちスリーブ１３が円孔で相互に嵌合された管体とされるが、上下に接続された二つのスリーブ１３の相対回転がハンドル１２位置の偏向をまねく問題を発生するのを防止するため、実施時には使用する嵌合孔は多角形等、スリーブ１３の相対回転を防止する造形とすることが検討される。このほか、図４、５に示されるように、固定座３０と位置決め座５０の挿入孔３１、５１に対応して、ロッド１０のそれと組み合わされる外形は、相互に相対回転しない造形とするのが好ましい。
【００１７】
ロッド１０の外形は、本考案の実施時には円弧状に限定されず、本考案の目的を満足させる前提の下、ロッド１０はまた直線状の外形とされうる。ロッド１０は下端が固定座３０でゴルフバッグ２０に結合され、またロッド１０の中段部分に嵌合された位置決め座５０でゴルフバッグ２０に結合され、これにより、位置決め座５０の比較的長い脚部５２の支持により直線状のロッド１０を外向きに傾斜するよう延伸させても、ハンドル１２とゴルフバッグ２０の接合面の垂直延伸線に開放区４０を形成させる目的を達成できる。
【００１８】
以上は本考案の好ましい実施例の説明に過ぎず、本考案の権利請求範囲の記載に基づきなされると共に本考案と同じ効果を達成し得る設計変化は、いずれも本考案の権利請求範囲に属するものとする。
【図面の簡単な説明】
【００１９】
【図１】周知のキャリー装置を具えたゴルフバッグの構造表示図である。
【図２】本考案のキャリー装置がゴルフバッグに結合された状態の立体図である。
【図３】本考案のキャリー装置の側面図である。
【図４】本考案のキャリー装置中の固定座の立体図である。
【図５】本考案のキャリー装置中の位置決め座の立体図である。
【符号の説明】
【００２０】
１０  ロッド                        ３２  耳部
１０１  下端部                      ３３  ボルト
１０２  上端部                      ４０  開放区
１０３  延伸部                      ５０  位置決め座
１２  ハンドル                      ５１  挿入孔
１３  スリーブ                      ５２  脚部
２０  ゴルフバッグ                  ５３  ネジ
２１  車輪                          Ａ  垂直基準線
２２  ゴルフクラブ                  ６１  ゴルフバッグ
３０  固定座                        ６２  キャリー装置
３１  挿入孔                        ６３  ゴルフクラブ
【図１】
0003105140.tif 000003
【図２】
0003105140.tif 000004
【図３】
0003105140.tif 000005
【図４】
0003105140.tif 000006
【図５】
0003105140.tif 000007